(57)【特許請求の範囲】
【請求項１】
育苗箱の凹部の苗を、当該凹部の底部から凹部内に突出して押し出すピンを備え、
前記ピンは、前記凹部と同数および同配列として押上げ板に着脱可能に支持され、当該押上げ板をハンドルの操作により上下動させる上下動機構によって前記凹部内に対して抜き挿しされる補植苗抜き機。
【請求項２】
前記ピンが、下方に付勢力を作用させるバネによって、凹部内から抜かれる方向に付勢されてなる請求項１に記載の育苗箱の補植苗抜き機。
【請求項３】
前記押上げ板が、前記ピンを支持する下板と、前記ピンを貫通させて支持する穴を備えた上板とからなる請求項１または請求項２に記載の育苗箱の補植苗抜き機。
【発明の詳細な説明】
【０００１】
【産業上の利用分野】
本発明は、育苗箱の凹部の苗を簡単に取り出せる育苗箱の補植苗抜き機に関する。
【０００２】
【従来の技術】
玉葱の苗を畑に移植する場合現在では玉葱移植機を用いるが、その手順として育苗箱を数十枚玉葱移植機に積層設置し同移植機が畑を進行する際、育苗箱は連動して送られ、育苗箱の玉葱の苗が自動的に取り出され畑に１本づつ移植される。
このとき、移植の際に、種子の発芽不良により移植時に欠株が発生する場合があって、この場合、移植作業後に補植用の育苗箱を玉葱移植機に設置して苗を育苗箱から抜き取る作業を行っていた。
しかしながら、玉葱移植機を使用する場合、苗を育苗箱から下方に落として取り出す方法であることから、苗に傷付きが発生することが多く、しかも散らばった苗の整理の時間を要するので作業効率が悪いものであった。
【０００３】
【発明が解決しようとする課題】
そこで、本発明は、育苗箱の凹部の苗を速やか、かつ簡単に取り出すことを課題とし、この課題を解決する育苗箱の補植用の苗抜き機の提供を目的とする。
【０００４】
【課題を解決するための手段】
前記課題を解決するために本発明が採用した技術的手段は、育苗箱の凹部の苗を、当該凹部の底部から凹部内に突出して押し出すピンを備え、前記ピンを、前記凹部と同数および同配列として押上げ板に着脱可能に支持され、当該押上げ板をハンドルの操作により上下動させる上下動機構によって前記凹部内に対して抜き挿しされるようにしたことである。（請求項１）
【０００５】
前記上下動機構は、ハンドルの操作力を押上げ板の上下動として伝達可能なものであればよく、たとえば、リンク機構やカム機構等の周知な構造が挙げられる。
また、育苗箱の取り出し容易性の向上のために、前記ピンを、下方に付勢力を作用させるバネによって、凹部内から抜かれる方向に付勢することが好ましい。（請求項２）
また、前記ピンが破損した際に、当該ピンの交換を容易に行えるようにするために、前記押上げ板を、前記ピンを載置する下板と、前記ピンを貫通させて支持する穴を備えた上板とから構成することが好ましい。（請求項３）
【０００６】
請求項１によれば、ハンドルの操作によって上下動機構が押上げ板を上昇させると、ピンが育苗箱における凹部内に突出し、当該凹部の全ての苗を押し出す。
また請求項２によれば、ハンドルから手を離せば、バネの付勢力によって押上げ板が下降しピンが凹部から抜かれる。
また請求項３によれば、下板に載置されたピンは、上板の穴に貫通することによって当該穴で支持され、下板から上板を分離させることによって下板に載置されたピンを交換する。
【０００７】
【本発明の実施の形態】
以下、本発明の実施の形態を図面に基づいて説明する。
本実施の形態の補植苗抜き機１は、図４に示すように、ピン２が支持された押上げ板３を上下動させる上下動機構である周知のリンク機構Ｌが内蔵されている。
育苗箱１０は、図1に示すように、苗１１を支持する多数の凹部１０ａを備えてなるものであり、前記凹部１０aの底部には、前記ピン２が貫通する貫通穴１０ｂが形成されている。
図３および図４において、符号４は、育苗箱１０の抜け止め用のストッパー、符号５は、育苗箱１０が載置されるガイド、符号６は、押上げ板３の抜け止め用のストッパーであり、当該ストッパー６は、押上げ板３の上下動時のガイドも兼用し、着脱可能に取り付けられている。
【０００８】
リンク機構Ｌは、手動のハンドル９の回動操作によって、押上げ板３を上下動させるものである。
リンク機構Ｌには、押上げ板３に接触する４箇所のカム７が設けられていて、当該カム７がリンク機構Ｌの上昇に伴って押上げ板３を押し上げるようにされている。
【０００９】
ピン２は、図２および図３に示すように、押上げ板３に図１に示す育苗箱１０における多数の凹部１０aと同数支持されている。
押上げ板３は、図２に示すように、ピン２が載置される下板３ｂと、当該下板３ｂに載置されたピン２を貫通させて支持する穴３１をピン２の本数と同数備えた上板３ａとからなる。
前記押上げ板３のピン２の支持構造は、上板３ａにピン２を下方から入れ、下板３ｂで支える構造としている。
このような構成にしたことによって、長い使用でピン２が磨耗や欠損した場合、ストッパー６をはずし押上げ板３を引き出し、上板３ａと下板３ｂとを分離させ、交換するピン２のみを取り替えればよい。
【００１０】
また、押上げ板３は、引っ張りバネ１２によって、下降方向に付勢されており、ハンドル９から手を離すことによって、引っ張りバネ１２が押上げ板３を引き下げるようにされ、この下降によってピン２が前記凹部１０ａの貫通穴１０ｂから抜かれる。
【００１１】
以下、本実施の形態の補植苗抜き機１を使用した苗抜き方法を説明する。
まず、図５に示すように、ハンドル９を斜め上にし育苗箱１０を貫通穴１０ｂ側を下向きにして補植苗抜き機１のストッパー４とガイド５の間に挿入させる。
その際、育苗箱１０の凹部１０ａの貫通穴１０ｂと押上げ板３のピン２が同軸線上となるよう置く。
【００１２】
次に、図６に示すようにハンドル９を下方に下げるとリンク機構Ｌによりカム７が押上げ板３を上昇させ育苗箱１０の凹部１０aの貫通穴１０ｂにピン２が挿入され、凹部１０aの苗１１がピン２に押し出されて容易に取り出すことが可能となる。
またハンドル９を離すと引っ張りバネ１２によって下降して図5の状態に戻るため、育苗箱１０を容易に取り出せる。
この一連の過程で押上げ板３が上昇する場合、ストッパー６と補植苗抜き機１の背板１ａで前後にずれないようになっているため、育苗箱１０の凹部１０ａの貫通穴１０ｂとピン２の同軸状態が保たれる。
【００１３】
【発明の効果】
本発明は、以上の構成により、本装置の使用により移植作業をしながら、その脇で速やかに苗の取り出しができるため、その場で畑の補植が可能となり作業効率のアップおよび労働作業の軽減が期待できる。
【図面の簡単な説明】
【図１】育苗箱を示し、（Ａ）は平面図、（Ｂ）は（Ａ）の（Ｂ）−（Ｂ）線断面図
【図２】上板、下板及びピン
【図３】補植苗抜き機の斜視図
【図４】補植苗抜き機の内部構造を示す斜視図
【図５】補植苗抜き機の動作を説明する断面図で（Ａ）は全体図、（Ｂ）は要部拡大図。
【図６】補植苗抜き機の動作を説明する断面図で（Ａ）は全体図、（Ｂ）は要部拡大図。
【符号の説明】
１：補植苗抜き機装置
１ａ：補植苗抜き機装置背板
２：ピン
３：押上げ板
３１：穴
３ａ：上板
３ｂ：下板
４：ストッパー
５：ガイド
６：ストッパー
９：ハンドル
１０：育苗箱
１０ａ：凹部
１０ｂ：貫通穴
１１：苗
１２：引っ張りバネ
Ｌ：リンク機構
【図１】
0003634799.tif 000002
【図２】
0003634799.tif 000003
【図３】
0003634799.tif 000004
【図４】
0003634799.tif 000005
【図５】
0003634799.tif 000006
【図６】
0003634799.tif 000007